(57)【特許請求の範囲】
【請求項１】
スタッドが拇指の位置に対応した内側蹴り出し領域と、母指球に位置する母指球踏み位置領域と、基礎領域と、外側に位置するフィードバック領域と、外側接地領域と、に分布され、各領域中に設けられたスタッドが足部の動きによる応力案内経路に基づいて修正され、前記応力案内経路は、前記基礎領域から前記外側接地領域を通って、前記母指球踏み位置領域へ向かって流れ、そして前記フィードバック領域からの前記応力が前記母指球踏み位置領域を通り、前記内側蹴り出し領域から出力されるスパイクシューズのスタッド修正方法であって、
前記基礎領域のスタッドを基準とし、前記基礎領域のスタッドの高さを保持するステップ（ａ）と、
足部の動きによる応力案内経路に基づき、足部が地面に接触される前記外側接地領域のスタッドを前記基礎領域のスタッドに対応して修正し、前記外側接地領域のスタッドの高さを前記基礎領域のスタッドの高さより短くするステップ（ｂ）と、
応力が前記基礎領域から前記外側接地領域を通って前記母指球踏み位置領域へ案内される経路に依り、前記母指球踏み位置領域の複数のスタッドが地面に同時に接触するように各々の高さを修正するステップ（ｃ）と、
前記フィードバック領域のスタッドは、前記母指球踏み位置領域のスタッドに対して傾斜角度Ｘで傾き、前記傾斜角度Ｘは、水平線と角度線によって形成される角度であり、前記水平線は前記フィードバック領域のスタッドが地面と接触する基準点から伸び、前記角度線は前記基準点から前記母指球踏み位置領域のスタッドへと形成されて、前記応力案内経路が前記フィードバック領域から前記母指球踏み位置領域を通り、前記内側蹴り出し領域から出力されるステップ（ｄ）と、を含むことを特徴とする、
スパイクシューズのスタッド修正方法。
【請求項２】
前記外側接地領域のスタッドが、前方に位置するスタッド（Ｂ）と後方に位置するスタッド（Ｃ）の２つであるとき、前記ステップ（ｂ）において、前記スタッド（Ｃ）が前記スタッド（Ｂ）より２〜３ｍｍ高さが短いことを特徴とする、請求項１に記載のスパイクシューズのスタッド修正方法。
【請求項３】
前記ステップ（ｄ）において形成される前記傾斜角度Ｘは、水平線に対して３〜５度傾いていることを特徴とする、請求項１に記載のスパイクシューズのスタッド修正方法。
【発明の詳細な説明】
【技術分野】
【０００１】
本発明は、スパイクシューズのスタッド修正方法に関し、特に、足の動きに完全に合致する、スパイクシューズのスタッド修正方法に関する。
【背景技術】
【０００２】
スパイクシューズは、運動場で広く利用され、各種方式及び用途に応じて運動選手たちはスパイクシューズを選択すると柔らかい地面でも速く走ることができる。しかし、アジアの国々では気候により大部分の運動場の地面が硬めであるため、スパイクシューズを硬い地面（ここで硬い地面とは非コンクリートである）で使用すると、側方移動のディフェンス、急停止などの動作を行うとき、或いは、走るときにスパイクシューズが地面から受ける反作用力が発生し、踝に怪我をする虞があった。
足部の円滑な動きには次の２つの条件があった。１つ目の条件とは、母指球が水平線より僅かに低いことであり、２つ目の条件とは、シューズ内で後方から前方へかけて導流されるとき、外側から内側へかけて外側が高くて内側が低い高低差の応力を案内する経路が必要であることである。
【０００３】
地面に接触する面が平面な運動靴は、ソールの厚さを利用して運動するときに足底が踏み込むときに沈下することを防ぐことができるが、サッカー用のスパイクシューズ、ラグビー用のスパイクシューズなど、高さが大きなスタッドを有するスパイクシューズでは、ソールだけで問題を改善することはできなかった。
一般に、スパイクシューズのスタッドの内側列及び外側列のスタッドは、同じ高さを有するが中間列のスタッドは短めであり、スタッドが土に食い込む深さは２〜３ｍｍであった。そのため、側方移動したりダッシュしたりするとき、中間列のスタッドはほとんどの時間、地面に接触しない浮いた状態にあるため、応力を分散する機能を備えていなかった。そのため、側方移動するときに、地面を踏み込んでスタッドに発生する反作用力が内側母指球が位置する２つ又は３つのスタッドに集中し、直進で前進するときに靴底に発生する応力が跳躍式に反作用力を伝えるため、足部が完全な動きをすることができず、この応力案内経路も、踏み付け部の内側の踏む位置が水平踏み面より僅かに低くなる。土に食い込まないスタッドには、大きな反作用力及び抵抗力が生じ、最終的に選手の動作の発生が遅くなり、横方向の支持に大きめの力が必要で、方向転換が遅く、体力が短時間に失われるなどの問題点があった。
【０００４】
そのため、従来技術の問題点を改善するスパイクシューズのスタッド修正方法が求められていた。
【発明の概要】
【発明が解決しようとする課題】
【０００５】
本発明の目的は、走る際に踏み付け部の応力伝達が妨げられて悪影響を及ぼしたり、踏み付け部が地面に接する角度が好ましくなくなったりする悪影響を、スタッドの高さを調整し、スタッドを再配列し、踏み付け部が地面に接する角度にスタッドを合致させ、一定の順序で地面に接触させて踏み付け部の動作に合致させ、スタッドにより足部の動きを半強制的に行うとともに、元々地面に接触していなかったスタッドに圧力を分散させ、スタッドを修正して走っているときに同一の踏み面上で踏み付け部の圧力を均一に分散し、容易かつ円滑に圧力を分散させる、スパイクシューズのスタッド修正方法を提供することにある。
【課題を解決するための手段】
【０００６】
上記課題を解決するために、本発明の第１の形態によれば、スタッドが拇指の位置に対応した内側蹴り出し領域と、母指球に位置する母指球踏み位置領域と、基礎領域と、外側に位置するフィードバック領域と、外側接地領域と、に分布され、各領域中に設けられたスタッドが足部の動きによる応力案内経路に基づいて修正されるスパイクシューズのスタッド修正方法であって、前記基礎領域のスタッドを基準とし、前記基礎領域のスタッドの高さを保持するステップ（ａ）と、足部の動きによる応力案内経路に基づき、足部が地面に接触される前記外側接地領域のスタッドと、前記基礎領域のスタッドとを修正し、前記外側接地領域のスタッドを前記基礎領域のスタッドより短くするステップ（ｂ）と、応力が前記基礎領域から前記母指球踏み位置領域へ案内される経路に依り、前記母指球踏み位置領域のスタッドが、地面に同時に接触されるように同一の踏み面に属するように修正されるステップ（ｃ）と、外側に位置する前記フィードバック領域が応力の方向に沿って形成され、前記フィードバック領域のスタッドは、前記母指球踏み位置領域のスタッドに対して傾斜角度Ｘで傾き、応力経路が前記フィードバック領域から前記母指球踏み位置領域を通り、内方の前記内側蹴り出し領域から出力されるステップ（ｄ）と、を含むことを特徴とする、スパイクシューズのスタッド修正方法が提供される。
【０００７】
前記外側接地領域のスタッドがＢ，Ｃ２つであるとき、前記ステップ（ｂ）において、前記スタッドＣが前記スタッドＢより２〜３ｍｍ短いことが好ましい。
【０００８】
前記ステップ（ｄ）において形成される前記傾斜角度Ｘは、水平線に対して３〜５度傾いていることが好ましい。
【図面の簡単な説明】
【０００９】
【図１】本発明の一実施形態に係るスパイクシューズのスタッドが分布された状態を示す斜視図である。
【図２】本発明の一実施形態に係るスパイクシューズのスタッドを修正するときの状態を示す平面図（１）である。
【図３】本発明の一実施形態に係るスパイクシューズのスタッドを修正するときの状態を示す背面図である。
【図４】本発明の一実施形態に係るスパイクシューズのスタッドを修正するときの状態を示す平面図（２）である。
【図５】本発明の一実施形態に係るスパイクシューズのスタッドを修正するときの状態を示す平面図（３）である。
【発明を実施するための形態】
【００１０】
以下、本発明の実施形態について図に基づいて説明する。なお、これによって本発明が限定されるものではない。
【００１１】
図１〜図３を参照する。図１は、本発明の一実施形態に係るスパイクシューズのスタッドが分布された状態を示す斜視図である。図２は、本発明の一実施形態に係るスパイクシューズのスタッドを修正するときの状態を示す平面図（１）である。図３は、本発明の一実施形態に係るスパイクシューズのスタッドを修正するときの状態を示す背面図である。
図１〜図３に示すように、本発明の一実施形態に係るスパイクシューズのスタッドの分布は、拇指の位置に対応した内側蹴り出し領域１と、母指球に位置する母指球踏み位置領域２と、基礎領域３と、外側に位置するフィードバック領域４と、外側接地領域５と、を含む。足部の動きの応力案内経路に基づいて、各領域中に設けられたスタッドを修正するステップには、以下（ａ）〜（ｄ）のステップが含まれる。
【００１２】
（ａ）基礎領域３のスタッドを基準とし、基礎領域３のスタッドの高さを保持する。
（ｂ）足部の動きによる応力案内経路に基づき、足部が地面に接触される外側接地領域５のスタッドと、基礎領域３のスタッドとを修正し、外側接地領域５のスタッドを基礎領域３のスタッドより短くする。
（ｃ）応力が基礎領域３から母指球踏み位置領域２へ案内される経路に依り、母指球踏み位置領域２のスタッドが、地面に同時に接触されるように同一の踏み面に属するように修正される。
（ｄ）外側に位置するフィードバック領域４が応力の方向に沿って形成され、フィードバック領域４のスタッドは、母指球踏み位置領域２のスタッドに対して傾斜角度Ｘで傾く。傾斜角度Ｘは、水平線に対して３〜５度傾き、応力経路はフィードバック領域４が母指球踏み位置領域２に沿って、母指球踏み位置領域２から内方へ内側蹴り出し領域１が出力される。
【００１３】
一般に、走る際、足を真っ直ぐ前方方向へ蹴り出すが、通常、踏み付け部には外側へ力が斜めに加わるため、前進する方向は、内側斜め方向であり、その後、１本の足が自然に踏み付け部の外側から地面に接して斜め方向へ動く力と垂直方向の重力とが打ち消される。最終的に、踏み付け部の内側へ移動してから離れ、この動作を繰り返して走る動作を行う。走るときに踏み付け部でまず最初に地面に接触する箇所は外側接地領域５である。そのため、スタッドを修正する際は、足部の動きに合わせて以下のステップで判断し、以下、実際の操作によりスタッド修正の過程を説明する。
【００１４】
図２を参照する。図２に示すように、本発明の一実施形態に係るスパイクシューズのスタッド修正方法は、基礎領域３のスタッドＡと、外側接地領域５のスタッドＢ，Ｃと、母指球踏み位置領域２のスタッドＤ，Ｅ，Ｆ，Ｇと、フィードバック領域４のスタッドＨ，Ｊと、ベンチ領域のスタッドＩとを含むスタッドにより説明する。
一般にスパイクシューズの内側列及び外側列のスタッドは高さが同じであり、中列スタッドが内外側列のスタッドより低いため、足部の動きに合うように修正する必要がある。まず、ステップ（ａ）のように、母指球踏み位置領域２下方に内側に配列された基礎領域３のスタッドＡを基準とし、基礎領域３のスタッドＡの高さを保持する。
スタッドＡの高さを保持しなければ踏み足が体の前面にあるときに応力が踏み付け部の内側へ移動し、土踏まずに大きな圧力がかかるため、選手の耐久力が低下し、踏み付け部の筋肉が硬くなったり痛くなったりし易くなり、踏み付け部が筋膜炎を起こす。基礎領域３のスタッドＡの高さのもう一つの長所とは、基礎領域３のスタッドＡにより選手の足が地面に接すると、スタッドＡ自身が発生させる抵抗力により踏み付け部の角度が微調整され、走る際に内側の踏み付け部が僅かに上方へ反り、外側の踏み付け部が地面に接する角度（短めのスタッドＣへ変更する）を形成し、適宜、外側から足が地面へ接触されたときに伝達される体重の圧力を適宜受けることができるため、走っても普通のジョギングシューズを履いたときのように足底がリラックスして、ストレスを感じることがない。
【００１５】
基礎領域３のスタッドＡの高さを保留した後、足部の動きによる応力案内経路は、地面に接した外側接地領域５のスタッドＢ，Ｃが基礎領域３のスタッドＡに対応して修正する。外側接地領域５のスタッドＢ，Ｃは基礎領域３のスタッドＡより短く、スタッドＣがスタッドＢより短く、スタッドＣがスタッドＢより２〜３ｍｍ短いことが好ましい。
このステップにより、スタッドが地面に接触されても、踏み付け部が地面に接する角度が狂うことを防ぎ、２つのスタッドＢ，Ｃを同一の受力面上に位置させることができる。スタッドＣが地面に早めに接触され、反作用力により上方へ押し付ける圧力が踏み付け部の中央部に集中され、踏み付け部が地面に接触されるときの円滑度に悪影響を及ぼし、残部の抵抗力が発生し、力の伝達過程で力がロスして流動方向がずれる虞があった。そのため、本発明はスタッドＣがスタッドＢより短く、スタッドＢ，Ｃを同一の受力面上に位置させることで、分散する反作用力の強度を減らすことができるとともに、圧力を受ける面積領域により踏み付け部が元々自然に地面に落下する曲線が円滑となる。
【００１６】
続いて、ステップ（ｃ）において、母指球踏み位置領域２は、内側列のスタッドＤ，Ｅ及び中央列のスタッドＦ，Ｇを含む。スタッドＤ，Ｅは、スタッドＦ，Ｇに対して長さを調整し、地面に同時に接触されるように、母指球踏み位置領域２中のスタッドＤ，Ｅ，Ｆ，Ｇを同一の踏み面に形成する。
この構成により、外側列のスタッドが内側列のスタッドより高い状態となり、内側の踏み込み位置を低めにするとともに、母指球踏み位置領域２中の４つのスタッドＤ，Ｅ，Ｆ，Ｇが同一の踏み面上に形成され、側方移動する際に、母指球踏み位置領域２は、これら４つのスタッドＤ，Ｅ，Ｆ，Ｇにより圧力を分散させたり力を蓄えたりするため、中央部のスタッドが応力を分担しなくなり、反作用力がスタッドＤ，Ｅに集中されることを防ぐ。
【００１７】
ステップ（ｄ）において、外側に位置するフィードバック領域４が応力の方向に沿って形成され、フィードバック領域４のスタッドは、母指球踏み位置領域２のスタッドＧ，Ｅに対して傾斜角度Ｘで傾く。外側列のスタッドから内側列のスタッドには傾斜角度Ｘが形成される。傾斜角度Ｘは、水平線に対して３〜５度傾くように調整することが好ましい。例えば、傾斜角度が小さすぎる場合、その効果はあまり良くない。傾斜角度が大きすぎる場合、外側の踏み位置が地面に接触されるときに、足底が内側へ反転する現象が起き、踏み付け位置が早めに母指球により力を受けると、母指球が身体の後方で離れる最適なときではなく、足が踏み付ける位置が身体の前方に位置するときであるため、土踏まずが大きな圧力を受け、母指球が元々有するエネルギーを分散され、大きな力が必要となる。
【００１８】
本実施形態の外側接地領域５のスタッドがスタッドＢ，Ｃの２つである場合、スタッドＢ，Ｃの基礎領域３のスタッドＡを短く修正し、スタッドＡをスタッドＣより高くするとともに、スタッドＢをスタッドＣより高くするが、外側に配列されたスタッドＢ，Ｈ，Ｊを、内側に配列されたスタッドＤ，Ｅ，Ｉより高くし、明確かつ良好に内側へ案内する靴底の応力導流を形成する。スタッドの修正過程が上述のステップに適合し、両方向の指向性が足部の動きに合致するスパイクシューズが完成する。
【００１９】
図４及び図５を参照する。図４及び図５に示すように、外側接地領域５のスタッドは２つあり、母指球踏み位置領域２のスタッドは３つある。
続いて、図５に示すように、外側接地領域５のスタッドは１つあり、母指球踏み位置領域２のスタッドは２つあるが、ここで示すスパイクシューズのスタッド分布は、一組合方式であり、スタッドの分布は、拇指に形成した内側蹴り出し領域１と、母指球が位置する母指球踏み位置領域２と、基礎領域３と、外側に位置するフィードバック領域４と、外側接地領域５とに対応する限り、上述の領域は変更してもよい。踏み付け部が地面に接する角度に応じてスタッドが一定の順序で地面に触れ、踏み付け部の動きに合わせ、スタッドにより足部の動きが半強制的に行われる。
【００２０】
上述したステップに基づいて、特別に球技の選手から志願者を募り、硬めのグランドでサッカー、フライングディスク、ラグビーなどのスポーツを行ってもらい、以下（１）〜（３）のテストを行った。
（１）同じ距離にかかった時間（スタッドを変更した後の時間が短縮されたか否か）
（２）同じ時間で走る距離（スタッドを変更した後の距離が延びたか否か）
（３）同じ距離を左右に５回、方向転換するのにかかった時間（スタッドを変更した後の時間が短縮されたか否か）
【００２１】
スタッドを変更した体験者の感想としては（今までにテストを受けた者は約１０名いる）、上記（１）〜（３）のテストを受けた者に共通した感想は、以下（１）〜（７）であった。
（１）硬い地面を踏んでも快適であった。
（２）疲労感が大幅に減った。
（３）軟度が最適な地面を踏んだときの感覚が素晴らしかった。
（４）従来の物と比べてほとんど負担がなかった。
（５）折り返しに大きな力は必要なかった。
（６）疲労が大幅に減った。
（７）全体的にスタッドを変更する前と比べてスパイクシューズの性能が大幅に高まった。
【符号の説明】
【００２２】
１  内側蹴り出し領域
２  母指球踏み位置領域
３  基礎領域
４  フィードバック領域
５  外側接地領域
Ａ  スタッド
Ｂ  スタッド
Ｃ  スタッド
Ｄ  スタッド
Ｅ  スタッド
Ｆ  スタッド
Ｇ  スタッド
Ｈ  スタッド
Ｉ  スタッド
Ｊ  スタッド
【図１】
0006317781.tif 000002
【図２】
0006317781.tif 000003
【図３】
0006317781.tif 000004
【図４】
0006317781.tif 000005
【図５】
0006317781.tif 000006